(57)【特許請求の範囲】
【請求項１】
柄と清掃具本体をつなぐ清掃具の継手構造であって、
清掃具本体は清掃シートの取付プレートとつなぎ部を有し、
取付プレートは、清掃具本体におけるつなぎ部の両側に延びるものであり、
清掃具本体のつなぎ部から起立して一対をなす軸受部のそれぞれに第１支軸部の両端部のそれぞれを固定的に結合することで軸受部及び第１支軸部を清掃具本体と単一の一体をなし、つなぎ部を薄肉化し、清掃具本体を柔らかく、しなやかにして被清掃面の湾曲に追従可能とし、
第１支軸部の外周に回転部材を回転自在に抱着し、
柄の先端の二又をなす腕部の内側面のそれぞれに設けた連結部を、回転部材の外周の両側部に設けられて該回転部材の回転中心軸に対して直角をなす単一軸上に設けられる第２支軸部のそれぞれに枢着してなる清掃具の継手構造。
【請求項２】
前記回転部材が第１支軸部の外周に沿う一部を切開されたＣ字断面状にして該第１支軸部の外周に弾発的に抱着し、柄の二又をなす各腕部の内側面が回転部材の外周の両側部を挟み込んでなる請求項１に記載の清掃具の継手構造。
【請求項３】
前記第１支軸部が両端側の外周を軸方向の外方に向けて拡径するテーパ状にし、
前記回転部材が第１支軸部の両端側の上記テーパ状外周に圧接して抱着されてなる請求項１又は２に記載の清掃具の継手構造。
【請求項４】
前記回転部材の外周に設けた第２支軸部を突出軸状にし、前記二又をなす腕部の内側面に設けた連結部を孔状にし、
突出軸状の第２支軸部の端面と、孔状の連結部を設けた腕部の内側面のそれぞれに、それらの第２支軸部と連結部を嵌合させて枢着させるために互いに衝合する面取り状のガイド面を設けてなる請求項１〜３のいずれかに記載の清掃具の継手構造。
【発明の詳細な説明】
【技術分野】
【０００１】
本発明は清掃具の継手構造に関する。
【背景技術】
【０００２】
清掃具の継手構造として、特許文献１に記載の如く、清掃具本体から起立して一対をなす板状の軸受部のそれぞれに球状部材の第１軸を枢着し、柄の先端の二又をなす腕部の内側面のそれぞれに設けた孔状連結部を、球状部材の上記第１軸に直交する第２軸を枢着してなるものがある。これによれば、第１軸を中心とする球状部材の回転で柄を清掃具本体に対して左右方向に回動させることができ、また第２軸を中心とする柄の回転で柄を清掃具本体に対して前後方向に回動させることができる。
【先行技術文献】
【特許文献】
【０００３】
【特許文献１】特許第3234147
【発明の概要】
【発明が解決しようとする課題】
【０００４】
特許文献１に記載の清掃具の継手構造では、球状部材の第１軸が枢着されるように一対をなす板状の各軸受部が清掃具本体から互いに独立的に起立し、その先端部に第１軸を枢着している。このため、板状の各軸受部が柄に加えられる押付操作力や回動操作トルクを受けて清掃具本体に対して曲がり易く、球状部材を各軸受部から脱落させたり、各軸受部の清掃具本体との付け根部分が折損するおそれがある。
【０００５】
本発明の課題は、清掃具の柄と清掃具本体をつなぐ継手構造をより強固にすることにある。
【課題を解決するための手段】
【０００６】
請求項１の発明は、柄と清掃具本体をつなぐ清掃具の継手構造であって、清掃具本体は清掃シートの取付プレートとつなぎ部を有し、取付プレートは、清掃具本体におけるつなぎ部の両側に延びるものであり、清掃具本体のつなぎ部から起立して一対をなす軸受部のそれぞれに第１支軸部の両端部のそれぞれを固定的に結合することで軸受部及び第１支軸部を清掃具本体と単一の一体をなし、つなぎ部を薄肉化し、清掃具本体を柔らかく、しなやかにして被清掃面の湾曲に追従可能とし、第１支軸部の外周に回転部材を回転自在に抱着し、柄の先端の二又をなす腕部の内側面のそれぞれに設けた連結部を、回転部材の外周の両側部に設けられて該回転部材の回転中心軸に対して直角をなす単一軸上に設けられる第２支軸部のそれぞれに枢着してなるようにしたものである。
【発明の効果】
【０００７】
本発明によれば、清掃具の柄と清掃具本体をつなぐ継手構造をより強固にすることができるとともに、清掃具本体を柔らかく、しなやかにして被清掃面の湾曲に追従可能とすることができる。
【図面の簡単な説明】
【０００８】
【図１】図１は実施例１の清掃具を示す模式図である。
【図２】図２は図１の要部を示す模式図である。
【図３】図３は清掃シートを挿着した清掃具の要部を示す模式図である。
【図４】図４は清掃具の継手構造を示す模式図である。
【図５】図５は清掃具の継手構造を分解して示す模式図である。
【図６】図６は清掃具の継手構造を破断して示す模式図である。
【図７】図７は実施例２の清掃具を示す模式図である。
【図８】図８は柄を伏せた状態の清掃具を示す模式図である。
【発明を実施するための形態】
【０００９】
（実施例１）（図１〜図６）
図１、図２の清掃具１は、伸縮自在に長さ調整できる柄１０と清掃ヘッド２０（清掃具本体）を継手３０によってつなぎ、柄１０の先端部において清掃ヘッド２０を清掃進み方向に対する前後左右に自在に回動可能にしたものである。尚、清掃ヘッド２０は、図３に示す如く、継手３０の両側に延びる左右の各取付プレート２１に不織布等からなる袋状の清掃シート２を挿着して使用に供される。清掃ヘッド２０の取付プレート２１に挿着された清掃シート２は一端側の係止部２Ａを継手３０の後述する軸受部４０の外面に設けてあるシート保持用突起４０Ａに係止される。
【００１０】
継手３０は、図４〜図６に示す如く、清掃ヘッド２０の左右の取付プレート２１のつなぎ部２２の上面から起立して一対をなす板状の軸受部４０、４０のそれぞれに第１支軸部４１の両端部のそれぞれを固定的に結合する。本実施例では、軸受部４０及び第１支軸部４１を清掃ヘッド２０（取付プレート２１及びつなぎ部２２）と単一の一体をなすように樹脂成形されている。
【００１１】
継手３０は、第１支軸部４１の外周に回転部材５０を回転自在に抱着する。
【００１２】
継手３０は、柄１０の先端の二又部６０を構成する腕部６０Ａ、６０Ａの内側面６１Ａのそれぞれに設けた孔状の連結部６１を、回転部材５０の外周の両側部５１Ａに設けられて該回転部材５０の回転中心軸（第１支軸部４１の中心軸に合致する）に対して直交する単一軸上に設けられる突出軸状の第２支軸部５１のそれぞれに枢着する。尚、第２支軸部５１を孔状にし、連結部６１を突出軸状にしても良い。また、回転部材５０の回転中心軸（第１支軸部４１の中心軸に合致する）と第２支軸部５１は必ずしも直交せず、互いに異なる平面上にあって互いに直角をなすものでも良い。
【００１３】
このような清掃具１では、第１支軸部４１を中心とする回転部材５０の回転で柄１０の清掃ヘッド２０に対して前後方向に回動でき、第２支軸部５１を中心とする柄１０の回転で柄１０を清掃ヘッド２０に対して左右方向に回動できる。従って、例えば第１支軸部４１を中心とする回転部材５０の回転で柄１０を後方へ傾けた状態から、第２支軸部５１を中心とする柄１０の回転で柄１０を右方へ傾けることで、柄１０は清掃ヘッド２０に対して前方と右方の中間へ移動できる。
【００１４】
従って、清掃具１にあっては、清掃具ヘッド２０の左右の取付プレート２１のつなぎ部２２から起立して一対をなす各軸受部４０が第１支軸部４１により互いに連結される。このため、各軸受部４０が第１支軸部４１に枢着される回転部材５０を介して、柄１０に加えられる押付操作力や回動操作トルクを受けても、清掃ヘッド２０に対して曲がりにくい。従って、各軸受部４０に固定されている第１支軸部４１に回転部材５０を安定的に抱着して脱落させることがないし、各軸受部４０の清掃ヘッド２０に対する付け根部分に折損を生ずるおそれもない。
【００１５】
清掃ヘッド２０の左右の取付プレート２１のつなぎ部２２から起立させた各軸受部４０、４０が第１支軸部４１により連結されて剛性アップされるから、つなぎ部２２を薄肉化したときにも軸受部４０を曲がりにくくすることができる。つなぎ部２２が薄肉化されることから、清掃ヘッド２０（取付プレート２１及びつなぎ部２２）を柔らかく、しなやかにして、清掃ヘッド２０の各取付プレート２１に挿着した清掃シート２を床面等の被清掃面の湾曲等に良く追従させて清掃できる。
【００１６】
本実施例では、回転部材５０が第１支軸部４１の外周に沿う一部を切開（切離）されたＣ字断面状にして第１支軸部４１の外周に弾発的に抱着する。そして、柄１０の二又部６０の各腕部６０Ａの内側面６１Ａが回転部材５０の外周の両側部５１Ａを挟み込み、結果としてＣ字断面状の回転部材５０の第１支軸部４１に対する上述の抱着状態を安定維持可能にしている。
【００１７】
従って、清掃具１にあっては、回転部材５０が第１支軸部４１の外周に沿う一部を切開されたＣ字断面状にして該第１支軸部４１の外周に弾発的に抱着するから、第１支軸部４１に対する回転部材５０の組付性が良いし、柄１０を清掃ヘッド２０に対して回動させるときに回転部材５０が第１支軸部４１の外周に圧接していて適度な操作感を得ることができる。また、柄１０の二又をなす各腕部６０Ａの内側面６１Ａが回転部材５０の外周の両側部５１Ａを挟み込むことにより、Ｃ字断面状の回転部材５０の第１支軸部４１に対する上述の抱着状態を安定維持できる。
【００１８】
本実施例では、第１支軸部４１が両端側の外周４１Ａ、４１Ａを軸方向の外方に向けて拡径するテーパ状にする（中間の外周４１Ｂはストレート状）。他方、回転部材５０も両端側の内周５０Ａ、５０Ａを軸方向の外方に向けて拡径するテーパ状にする（中間の内周５０Ｂはストレート状）。そして、回転部材５０の両端側のテーパ状内周５０Ａ、５０Ａが、第１支軸部４１の両端側のテーパ状外周４１Ａ、４１Ａに圧接して抱着される。
【００１９】
従って、清掃具１にあっては、第１支軸部４１の軸方向に対する回転部材５０、ひいては柄１０のガタツキをなくして位置決めできる。
【００２０】
本実施例では、突出軸状の第２支軸部５１の端面と、孔状の連結部６１を設けた腕部６０Ａの内側面６１Ａのそれぞれに、それらの第２支軸部５１と連結部６１を嵌合させて枢着させるときに互いに衝合する面取り状のガイド面５１Ｂ、６１Ｂを設けてある。
【００２１】
従って、清掃具１にあっては、柄１０の二又をなす腕部６０Ａの内側面６１Ａに設けた孔状連結部６１と、回転部材５０の外周に設けた第２支軸部５１とを互いの嵌合位置に円滑に導入し合って組付けできる。
【００２２】
（実施例２）（図７、図８）
図７の清掃具１０１は、伸縮自在に長さ調整できる柄１１０と清掃ヘッド１２０（清掃具本体）を継手１３０によってつなぎ、柄１１０の先端部において清掃ヘッド１２０を清掃進み方向に対する前後左右に自在に回動可能にしたものである。尚、清掃ヘッド１２０は、継手１３０を中央に備える平面視矩形状の取付プレート１２１の底部（被清掃面たる床面を滑る清掃作業面になる）を覆うように底部まわりに清掃シート（不図示）を巻付け可能にし、この清掃シートを係止可能にするシート係止具１２２を取付プレート１２１の上面の４隅に備える。
【００２３】
清掃具１０１にあっては、継手１３０として、前述した清掃具１の継手３０におけると同様のものを用いる。このような清掃具１０１では、継手１３０が継手３０における同様の軸受部４０、第１支軸部４１、回転部材５０、第２支軸部５１、二又部６０、連結部６１等を具備し、第１支軸部４１を中心とする回転部材５０の回転で柄１１０の清掃ヘッド１２０に対して前後方向に回動でき、第２支軸部５１を中心とする柄１１０の回転で柄１１０を清掃ヘッド１２０に対して左右方向に回動できる。従って、例えば第１支軸部４１を中心とする回転部材５０の回転で柄１１０を後方へ傾けた状態から、第２支軸部５１を中心とする柄１１０の回転で柄１１０を右方へ傾けることで、柄１１０は清掃ヘッド１２０に対して後方と右方の中間へ移動できる。
【００２４】
図８は、第２支軸部５１を中心とする柄１１０の回転で柄１１０を清掃ヘッド１２０の長手方向に沿う右方へ傾け、柄１１０を清掃ヘッド１２０の上面に沿って伏すように清掃ヘッド１２０に対して折曲げ、柄１１０及び清掃ヘッド１２０を壁と家具の隙間等に挿入して清掃可能にする状態を示すものである。
【００２５】
従って、清掃具１０１にあっては、前述した清掃具１におけると同様の作用効果を奏する。
【産業上の利用可能性】
【００２６】
本発明によれば、清掃具の柄と清掃具本体をつなぐ継手構造をより強固にすることができるとともに、清掃具本体を柔らかく、しなやかにして被清掃面の湾曲に追従可能とすることができる。
【符号の説明】
【００２７】
１、１０１  清掃具
１０、１１０  柄
２０、１２０  清掃ヘッド（清掃具本体）
２１、１２１  取付プレート
２２  つなぎ部
３０、１３０  継手
４０  軸受部
４１  第１支軸部
４１Ａ  テーパ状外周
５０  回転部材
５０Ａ  テーパ状内周
５１  第２支軸部
５１Ａ  側部
５１Ｂ  ガイド面
６０  二又部
６０Ａ  腕部
６１  連結部
６１Ａ  内側面
６１Ｂ  ガイド面
【図１】
0005295338.tif 000002
【図２】
0005295338.tif 000003
【図３】
0005295338.tif 000004
【図４】
0005295338.tif 000005
【図５】
0005295338.tif 000006
【図６】
0005295338.tif 000007
【図７】
0005295338.tif 000008
【図８】
0005295338.tif 000009